(57)【特許請求の範囲】
【請求項１】
施錠状態においてロック体を抜去不能に係止して二輪車を拘束する施錠装置と、
施錠装置の施解錠操作を行うキープレート内に設けられ、交信手段を介して電子的手段により取得された施錠装置の最終施解錠操作情報を電子的手段により記憶する記憶手段と、
記憶手段の記憶内容を読み取る読み取り装置とを有し、
前記施錠装置は二輪車のメインスイッチに接続され、
前記記憶手段による施錠装置の最終施解錠操作情報の取得および記憶は、施錠装置による二輪車のメインスイッチのＯＦＦ側への操作の検出を条件にしてなされる施解錠操作認証装置。
【請求項２】
前記キープレートの記憶手段がトランスポンダからなる請求項１記載の施解錠操作認証装置。
【請求項３】
キープレートの回転により施解錠操作が可能で、施錠状態においてロック体を抜去不能に係止して二輪車を拘束する施錠装置であって、
施解錠操作結果を書き込む書き込み部を備え、
前記書き込み部は、
キープレートの回転位置を検出する検出スイッチにおける検出結果に基づいて決定される施解錠操作情報を含む書き込みデータを変調する制御部と、
前記変調された書き込みデータを送信するアンテナとを有し、
前記制御部は二輪車のメインスイッチに接続され、
前記制御部による書き込みデータの変調は、二輪車のメインスイッチのＯＦＦ側への操作の検出を条件にしてなされる施錠装置。
【請求項４】
前記キープレートは施錠位置と解錠位置を除いた中立位置でのみ抜き差し可能であり、
かつ、ロック体は施錠位置での挿入、および解錠位置での抜去のみが許容される請求項３記載の施錠装置。
【請求項５】
二輪車を拘束するとともに、二輪車のメインスイッチに接続される施錠装置の最終施解錠状態を認証する施錠結果認証方法であって、
施錠装置によって二輪車のメインスイッチのＯＦＦ側への操作が検出された際に、施解錠操作結果を、施錠装置の施解錠操作を行うキープレート内に保持されたトランスポンダに記憶し、該トランスポンダの記憶内容を読み出して、最終施解錠状態を認証する施錠結果認証方法。
【発明の詳細な説明】
【０００１】
【発明の属する技術分野】
本発明は施解錠操作認証装置に関するものである。
【０００２】
【従来の技術】
例えば二輪車等を盗難から護るためには、車輪の回転を施錠装置によって拘束するのが有効であり、近時、かかる車輪拘束型の施錠装置による施錠下での盗難を条件として保険金の支払いを約定した盗難保険も売り出されている。
【０００３】
しかしながら、従来の施錠装置においては、施錠のし忘れで盗難にあっても施錠装置は二輪車ととともに持ち去られているために、その施解錠状態を確認することができず、施錠状態で盗難にあったのか否かを確認しようがないという問題がある。
【０００４】
【発明が解決しようとする課題】
本発明は、以上の欠点を解消すべくなされたものであって、最終の施解錠操作内容を確実に認証できる施解錠操作認証装置の提供を目的とする。
【０００５】
【課題を解決するための手段】
本発明によれば上記目的は、
施錠状態においてロック体１を抜去不能に係止して二輪車２を拘束する施錠装置３と、
施錠装置３の施解錠操作を行うキープレート４内に設けられ、交信手段５を介して電子的手段により取得された施錠装置３の最終施解錠操作情報を電子的手段により記憶する記憶手段６と、
記憶手段６の記憶内容を読み取る読み取り装置７とを有し、
前記施錠装置３は二輪車２のメインスイッチ１７に接続され、
前記記憶手段６による施錠装置３の最終施解錠操作情報の取得および記憶は、施錠装置３による二輪車２のメインスイッチ１７のＯＦＦ側への操作の検出を条件にしてなされる施解錠操作認証装置を提供することにより達成される。
【０００６】
施錠装置３はキープレート４により施解錠操作が可能であり、施錠、あるいは解錠操作を行った際にキープレート４の記憶手段６に最終の施解錠操作結果が記憶される。記憶手段６における記憶内容は、上述した二輪車の保険金支払いの認証を目的とする場合には、施錠結果のみを書き込めば足りるが、用途によって解錠結果のみを書き込んだり、あるいはこれら双方、さらにはこれらに加えて施解錠操作の日付情報を加えることができる。また、記憶内容を目視等による容易な認識を不能にし、さらに、容易に記憶内容の改ざんができないように、記憶手段６における記憶は電子的手段により行われる。キープレート４への上記情報の電子的手段による書き込みは、施錠装置３とキープレート４とに用意された適宜の交信手段５を介して施錠装置３側から最終施解錠操作信号をキープレート４内のＥＥＰＲＯＭ等からなる記憶手段６に書き込むことにより行われる。
【０００７】
したがって本発明において、例えば盗難保険金の支払いを約定している保険に加入していて二輪車が盗難にあった場合には、キープレート４だけを持参すれば施解錠操作情報を読み取り装置７によって読みとることができるために、施錠状態の盗難であったか、あるいは未施錠状態での盗難であったのかを確実に確定できる。
【０００８】
交信手段５としては、例えばキープレート４と施錠装置３の双方に形成されたプラグイン可能なコネクタ、あるいは端子を利用することができるが、記憶手段６をトランスポンダにより形成した場合には、キープレート４側に電池等の電源が不要となるので、使い勝手が向上する。
【０００９】
また、上記施解錠操作認証装置には、キープレート４の回転により施解錠操作が可能で、施錠状態においてロック体１を抜去不能に係止して二輪車２を拘束する施錠装置であって、施解錠操作結果を書き込む書き込み部８を備え、前記書き込み部８は、キープレート４の回転位置を検出する検出スイッチにおける検出結果に基づいて決定される施解錠操作情報を含む書き込みデータを変調する制御部９と、前記変調された書き込みデータを送信するアンテナ１０とを有し、前記制御部９は二輪車２のメインスイッチ１７に接続され、前記制御部９による書き込みデータの変調は、二輪車２のメインスイッチ１７のＯＦＦ側への操作の検出を条件にしてなされる施錠装置３が使用できる。
【００１０】
この場合、キープレート４を施錠位置、および解錠位置以外の中立位置でのみ抜き差し可能とし、ロック体１は施錠位置での挿入、および解錠位置での抜去のみが許容されるように構成すると、トランスポンダの誤記憶を確実に防止することができる。
【００１１】
【発明の実施の形態】
図１に二輪車の施解錠操作認証装置として構成された実施の形態を示す。施解錠操作認証装置は、車両本体（施錠対象物２）に固定される施錠装置３と、該施錠装置３を施解錠するためのキープレート４と、読み取り装置７とを有し、さらにこの実施の形態においては、警報装置１１が含まれる。
【００１２】
施錠装置３の筐体３ａには後述するシリンダ錠１２の頭部が露出しており、該シリンダ錠１２のキー挿入溝１２ａ内にキープレート４を挿入することにより、シリンダ錠１２を施錠位置（図１（ｂ）において”ＬＯＣＫ”と記載した回転位置）と解錠位置（図１（ｂ）において”ＵＮＬＯＣＫ”と記載した回転位置）との間で回転させることができる。施錠位置と解錠位置との間には中立位置（図１（ｂ）において”ＮＥＵＴＲＡＬ”と記載した回転位置）が設定されており、キープレート４は中立位置においてのみ抜き差しが許容される。また、施錠装置３の筐体３ａにはロック孔３ｂが配置されており、該ロック孔３ｂにロック体１としてのチェーン先端に形成されたロックバー１３を挿入することができる。ロック孔３ｂに挿入されたロックバー１３は、シリンダ錠１２が施錠位置にある際には後述する施錠装置３の係止部１４に係止されて抜去不能であり、解錠位置にある場合に抜き取ることができる。このロックバー１３は後述する機構により、シリンダ錠１２が施錠位置にある場合にのみロック孔３ｂへの挿入が許容され、シリンダ錠１２中立位置での挿抜は禁止される。なお、図１（ｂ）において３ｃは施錠装置３を車両本体２に固定するためのブラケットを示す。
【００１３】
警報装置１１は傾斜センサ１１ａと、ホーン１１ｂと、警報制御部１１ｃとを有する。傾斜センサ１１ａはスタンドにより車両本体２が平地にやや傾斜姿勢で停められた状態でセンサ出力が”ＯＦＦ”となる車両本体上の適宜位置に固定され、スタンドを外して車両本体を起立させた場合に”ＯＮ”を出力する。これら施錠装置３と警報装置１１はハーネス１５により接続されており、車両本体２のバッテリ１６とメインスイッチ１７に接続される。
【００１４】
キープレート４は上記シリンダ錠１２のキー挿入溝１２ａに挿入されるブレード部４ａと、ブレード部４ａの先端に固定される握り部４ｂとを有し、握り部４ｂ内に交信手段５と記憶手段６を兼ねるトランスポンダが挿入される。トランスポンダは後述する施錠装置３、あるいは読み取り装置７の送信部１８から送られる呼びかけ信号に含まれる電力を利用して内部のＥＥＰＲＯＭ等の不揮発性のメモリ部（図示せず）への書き込み、あるいは記憶内容に基づく応答信号を送信することができる。メモリ部へ書き込みデータには、少なくとも最終施解錠状態を示すビット、あるいはビット列を含み、例えば解錠操作後にキープレート４が抜かれた際には、解錠操作情報が、施錠操作の後キープレート４が抜かれた際には施錠操作情報が書き込まれる。この実施の形態においてメモリ部に格納される書き込み情報は６４ビット長で、上記施解錠操作情報に加え、施錠装置３を最後に操作した日付、時間等の情報が含まれる。
【００１５】
読み取り装置７は図６に示すように、電磁波の送受信部１８、１９を有し、表示スイッチを入れると制御部７ａが作動し、送信部１８はアンテナ１０から呼びかけ信号をトランスポンダに向けて送出する。呼びかけ信号により励起されたトランスポンダはメモリ部をアクセスした後、メモリ部での記憶内容に基づく応答信号を生成して読み取り装置７側に送信する。上記応答信号は受信部１９において受信された後、制御部７ａで必要なデータ処理が行われ、最終操作が施錠操作である場合には、例えば”ＬＯＣＫ  ×月×日  ×時×分”のように、最終操作が解錠操作である場合には、”ＵＮＬＯＣＫ  ×月×日  ×時×分”のように表示部７ｂに表示される。
【００１６】
したがってこの実施の形態において、二輪車に施錠した状態でキープレート４には施錠操作情報が書き込まれており、盗難にあった場合、施錠装置３がなくても、キープレート４を読み取り装置７に挿入するだけで施錠状態で盗難にあった事実を認証することができる。
【００１７】
図２ないし４に施錠装置３の機構を示す。施錠装置３は筐体３ａ内に収容されるシリンダ錠１２と、ロック孔３ｂへのロックバー１３の挿入領域への飛び出し方向に付勢されてロックバー１３の挿入を禁止し、シリンダ錠１２が施錠位置にある際にロックバー１３の挿入領域から退避するバーストッパ２０と、シリンダ錠１２が施錠位置にある際にロックバー１３の先端に形成された被係止部１３ａに係止してロックバー１３の抜去を禁止するラッチ２１とを有する。シリンダ錠１２は真正な解錠コードが刻設されたキープレート４を挿入することにより回転操作が可能であり、シリンダ錠１２への回転操作はローテータ１２ｂを介してスライドレバー２２の往復動作に変換される。シリンダ錠１２にはリターンスプリング１２ｃが巻装されており、中立位置側に付勢される。また、スライドレバー２２は圧縮スプリング２２ａにより解錠位置対応位置側に付勢される。
【００１８】
ラッチ２１は筐体３ａのロック孔３ｂ近傍に配置され、筐体３ａから突設される支軸３ｄ周りに回転自在とされる。ラッチ２１は支軸３ｄと同心の円弧を外周面とする扇形状の係止部１４と、ピン部２１ａとを備え、図２に示すシリンダ錠１２の解錠位置においてピン部２１ａがスライドレバー２２のフック部２２ｂに係止する。また、解錠位置においてラッチ２１の係止部１４はロックバー１３の挿入領域から退避しており、ロック孔３ｂに挿入されたロックバー１３の抜去が許容される。
【００１９】
バーストッパ２０は上記ロックバー１３の挿入領域に進退自在で、圧縮スプリング２０ａにより突出側に付勢される。このバーストッパ２０の先端は図２に示すように、ロックバー１３が挿入した状態でロックバー１３の自由端に形成されるテーパ状のリード部１３ｂに合致する傾斜面とされており、ロックバー１３が抜去された際には図２（ｂ）に示すように、ロックバー１３の挿入領域に飛び出し、以降のロックバー１３の挿入操作を禁止する。
【００２０】
さらに、筐体３ａ内には、解錠検出スイッチ２３、施錠検出スイッチ２４、およびロックバー検出スイッチ２５が配置される。図２に示す解錠位置において、解錠検出スイッチ２３は検知レバー２３ａがスライドレバー２２に押さえられて”ＯＮ”となり、解錠位置において検知レバー２４ａがスライドレバー２２に干渉しない施錠検出スイッチ２４は”ＯＦＦ”となる。また、ロックバー検出スイッチ２５の検知レバー２５ａはバーストッパ２０の突起２０ｂに係止しており、図２（ａ）に示すようにロックバー１３がロック孔３ｂ内に挿入されてバーストッパ２０が退避している際には”ＯＮ”、図２（ｂ）に示すように、ロックバー１３がロック孔３ｂ内に挿入されていない場合には”ＯＦＦ”となる。
【００２１】
したがって、図２に示す解錠位置においては、挿入状態にあるロックバー１３の抜去は許容されるが、一旦抜去されると図２（ｂ）に示すようにバーストッパ２０が飛び出すためにロックバー１３の挿入はできない。次に、シリンダ錠１２をキープレート４の抜き差し位置である中立位置に回転させると、図３に示すように、スライドレバー２２はややラッチ２１側に平行移動し、これに伴いラッチ２１は反時計回りに回転する。この状態でラッチ２１の時計回りの回転はスライドレバー２２により禁止されているために、上述した解錠位置でロックバー１３を抜去した後、当該中立位置に移行した場合には、ロックバー１３を挿入することはできない。また、この中立位置においては、ラッチ２１の係止部１４は未だロックバー１３の被係止部１３ａとの係止を解除しておらず、しかも、ラッチ２１の反時計回りの回転はピン部２１ａがスライドレバー２２に干渉されて禁止されるために、後述する施錠位置において挿入されたロックバー１３の抜去も禁止される。さらに、この中立位置においては、施解錠検出スイッチ２３はいずれも”ＯＦＦ”となり、ロックバー検出スイッチ２５はロックバー１３の有無により”ＯＮ”、”ＯＦＦ”のいずれかの値を出力する。
【００２２】
さらにシリンダ錠１２を施錠位置まで回転させると、図４に示すように、トーションスプリング２６により付勢されるラッチ２１は係止部１４が筐体３ａのラッチストッパ２７に当接するまで回転してロックバー１３の挿入領域内に飛び出し姿勢となる。一方、ラッチ２１のピン部２１ａはスライドレバー２２のフック部２２ｂから脱離し、時計回りの回転が許容されるために、ロックバー１３を挿入することができる。ロックバー１３を挿入すると、ラッチ２１は一旦時計回りに回転した後、トーションスプリング２６の復元力により原位置に復帰して係止部１４がロックバー１３の被係止部１３ａを係止する。図４に示すように係止状態においてラッチ２１はラッチストッパ２７により反時計回りの回転が禁止されるために、ロックバー１３を抜去することができない。また、当該施錠位置において、施錠検出スイッチ２４は”ＯＮ”となる。
【００２３】
さらに、施錠装置３は施解錠操作情報をトランスポンダに書き込むための書き込み部８を備える。図５に示すように、書き込み部８は制御部９と、キープレート４のトランスポンダとの交信手段５としてのアンテナ１０とを有し、制御部９によりセットされたデータは電磁波としてトランスポンダの図示しないアンテナに送信される。制御部９は図７に示すフローチャートに基づいて動作するプログラムに従って作動する演算部２８を有し、まず、メインスイッチ１７への操作信号は入力ポートＩ4から演算部２８に入力され、”ＯＮ”操作である場合には、入力ポートＩ6から入力されるロックバー検出スイッチ２５の状態を確認し、ロックバー検出スイッチ２５が”ＯＦＦ”を出力している場合には、施錠装置３への制御を終了して運転を可能にする。一方、ロックバー検出スイッチ２５が”ＯＮ”を出力している場合には、施錠状態での運転意志とみなして出力ポートＩ11から警報制御部１１ｃにホーン作動信号を送出し、ホーン１１ｂを鳴らして警告する。
【００２４】
一方、演算部２８がメインスイッチ１７の”ＯＦＦ”側への操作を検出した際には、入力ポートＩ7、Ｉ8から入力される施錠検出スイッチ２４と解錠検出スイッチ２３を確認し、解錠検出スイッチ２３が”ＯＮ”の場合には、解錠操作ルーチン２９を、”ＯＦＦ”の場合には、施錠操作ルーチン３０を実行する（図７参照）。
【００２５】
解錠操作ルーチン２９、および施錠操作ルーチン３０はロックバー検出スイッチ２５の確認から始まり、解錠操作ルーチン２９においてロックバー検出スイッチ２５が”ＯＮ”の場合には解錠操作情報を含む必要な送信データをセットして出力ポートＯ1から送信部１８に出力し、アンテナ１０から発射する。送信データには、入力ポートＩ1に接続されるＥＥＰＲＯＭ３１から取り込んだＩＤ情報が含まれ、入力ポートＩ9から取り込まれる受信部１９により受領したトランスポンダ側のＩＤ情報との一致を確認した後、トランスポンダへの書き込みが行われる。送信データのトランスポンダへの書き込み（最新データへの書き換え）完了を利用者に知らせるために、トランスポンダとの交信開始から適宜時間を経過すると、演算部２８は警報制御部１１ｃに確認ホーン１１ｂ吹鳴信号を送出してホーン１１ｂを鳴らす。
【００２６】
これに対して施錠操作ルーチンにおいてロックバー検出スイッチ２５の”ＯＮ”状態が検出されると、送信部１８へは施錠操作情報を含む送信データが送られ、トランスポンダへの書き込みが行われる。書き込み終了後、制御部９は監視ルーチンを実行し、入力ポートＩ3の変化、すなわち傾斜センサ１１ａからの出力の変化を監視する。監視ルーチンにおいて傾斜センサ１１ａからの出力に変化があった場合には、演算部２８は警報制御部１１ｃにホーン１１ｂ作動信号を送出し、ホーン１１ｂを鳴らす。
【００２７】
【発明の効果】
以上の説明から明らかなように、本発明によれば、施錠装置が盗難にあってなくとも、キープレートだけで施解錠操作内容を認証することが可能になる。
【図面の簡単な説明】
【図１】本発明を示す図で、（ａ）は車両本体への取り付け前の状態を示す図、（ｂ）は施錠装置の正面図、（ｃ）は二輪車に取り付けた状態を示す側面図である。
【図２】解錠位置での施錠装置を示す図で、（ａ）はロックバーを挿入した状態を示す図、（ｂ）はロックバーを抜去した状態を示す図である。
【図３】中立位置での施錠装置を示す図で、（ａ）はロックバーを抜去した状態を示す図、（ｂ）はロックバーを挿入した状態を示す図である。
【図４】施錠位置での施錠装置を示す図で、（ａ）はロックバーを抜去した状態を示す図、（ｂ）はロックバーを挿入した状態を示す図である。
【図５】施錠装置の機能ブロック図である。
【図６】読み取り装置を示す図である。
【図７】制御部での動作を示すフローチャートである。
【符号の説明】
１          ロック体
２          施錠対象物
３          施錠装置
４          キープレート
５          交信手段
６          記憶手段
７          読み取り装置
８          書き込み部
９          制御部
１０        アンテナ
【図１】
0004141046.tif 000002
【図２】
0004141046.tif 000003
【図３】
0004141046.tif 000004
【図４】
0004141046.tif 000005
【図５】
0004141046.tif 000006
【図６】
0004141046.tif 000007
【図７】
0004141046.tif 000008